(57)【要約】【課題】カバー開閉の利便性をよくすることができる両開き式カバー装置を提供する。【解決手段】アクセサリソケットのカバー７は、カバー両端に配置された複数の連結機構１０を介してカバーホルダに開閉可能に連結されている。連結機構１０は、カバーホルダに設けられたＤカット形状の連結部１３，１６と、カバー７に設けられた挟持部２２，２６とを備える。カバー７をカバーホルダ（コネクタ本体）に対して開操作する際、左右の連結機構１０のうち一方が開き側となり、他方が回動軸となることにより、カバー７が両開き式をとる。【選択図】図５
2014096316.tif 000002
【特許請求の範囲】
【請求項１】
カバーホルダにカバーが開閉可能に取り付けられ、当該カバーによって前記カバーホルダの開口が開閉される両開き式カバー装置において、
前記カバー及びカバーホルダの一方に設けられたＤカット形状の連結部と、当該連結部を挟持可能に他方に設けられた挟持部とを備えた連結機構が設けられ、当該連結機構を前記カバーの両側に設けることにより、当該カバーを両開き可能とした
ことを特徴とする両開き式カバー装置。
【請求項２】
前記連結機構は、前記カバーの開閉方向と交差する方向に一対設けられている
ことを特徴とする請求項１に記載の両開き式カバー装置。
【請求項３】
一対の前記連結部の間には、当該連結部を繋ぐ架設部が設けられ、当該架設部には、前記カバーを開操作する際に指を掛ける指掛け部の根元に形成された係止凹部が載置される
ことを特徴とする請求項２に記載の両開き式カバー装置。
【請求項４】
前記挟持部は、Ｄカット形状の前記連結部に係止可能な爪部と、当該爪部と協同して前記連結部を挟持する壁部と、前記爪部の根元に配設された開口孔とを備える
ことを特徴とする請求項１〜３のうちいずれか一項に記載の両開き式カバー装置。
【請求項５】
前記カバーには、前記爪部の過度の湾曲を規制するストッパ部が設けられている
ことを特徴とする請求項４に記載の両開き式カバー装置。
【発明の詳細な説明】
【技術分野】
【０００１】
本発明は、カバーの開閉方向を複数有する両開き式カバー装置に関する。
【背景技術】
【０００２】
従来、車両において例えば携帯電話やポータブルオーディオ等の電子機器の充電が可能なアクセサリソケットが周知である（特許文献１等参照）。この種のアクセサリソケットには、ケーブルの先端のコネクタにカバーが設けられている。電子機器を充電するには、カバーを開けてコネクタの端子を外部に露出させ、この端子に電子機器を電気接続することにより行う。
【先行技術文献】
【特許文献】
【０００３】
【特許文献１】特開２００９−２２９６６１号公報
【発明の概要】
【発明が解決しようとする課題】
【０００４】
ところで、アクセサリソケットのカバーは、例えば右開きや左開きなど、一方向のみしか開閉できない構造をとるものが多い。このため、例えばカバーを左開きとすると、運転者は開閉操作し易いものの助手席者は開操作し難く、逆にカバーを右開きとすると、助手席者は開操作し易いものの運転者は開操作がし難くなる。このように、カバーが一方向のみしか開かないカバーの場合、運転者及び助手席者のどちらかが操作し難くなってしまうので、何らかの対策が必要とされていた。
【０００５】
本発明の目的は、カバー開閉の利便性をよくすることができる両開き式カバー装置を提供することにある。
【課題を解決するための手段】
【０００６】
前記問題点を解決する両開き式カバー装置は、カバーホルダにカバーが開閉可能に取り付けられ、当該カバーによってカバーホルダの開口が開閉される構成において、前記カバー及びカバーホルダの一方に設けられたＤカット形状の連結部と、当該連結部を挟持可能に他方に設けられた挟持部とを備えた連結機構が設けられ、当該連結機構を前記カバーの両側に設けることにより、当該カバーを両開き可能とした。
【０００７】
本構成によれば、Ｄカット形状の連結部に挟持部を係止する連結機構をカバー両側に設けたので、カバーを相手部品に対して開操作する際、一対の連結機構のうち一方が開側となり、他方が回転軸側となって、カバーの開操作が許容される。このため、カバーが両開き可能となるので、カバーの開閉作業が１方向に制限されなくなる。よって、カバー開閉の利便性をよくすることが可能となる。
【０００８】
前記両開き式カバー装置において、前記連結機構は、前記カバーの開閉方向と交差する方向に一対設けられていることが好ましい。この構成によれば、カバーをその相手部品に両側で支持することが可能となるので、カバーを安定性よく相手部品に取り付けておくことが可能となる。
【０００９】
前記両開き式カバー装置において、一対の前記連結部の間には、当該連結部を繋ぐ架設部が設けられ、当該架設部には、前記カバーを開操作する際に指を掛ける指掛け部の根元に形成された係止凹部が載置されることが好ましい。この構成によれば、カバーを開閉する際、架設部が回動軸となってカバーを支えるので、カバーを安定した状態で開閉することが可能となる。また、カバーに指掛け部を設けたので、カバー開閉のし易さが確保される。
【００１０】
前記両開き式カバー装置において、前記挟持部は、Ｄカット形状の前記連結部に係止可能な爪部と、当該爪部と協同して前記連結部を挟持する壁部と、前記爪部の根元に配設された開口孔とを備えることが好ましい。この構成によれば、爪部の湾曲が開口孔によって助長されるので、カバーを閉じる際には、爪部が連結部に係止され易くなり、カバーを開ける際には、爪部が連結部から離脱し易くなる。よって、カバーをスムーズに開閉することが可能となる。
【００１１】
前記両開き式カバー装置において、前記カバーには、前記爪部の過度の湾曲を規制するストッパ部が設けられていることが好ましい。この構成によれば、例えばカバーの開操作時、爪部が湾曲したとしても、爪部はストッパ部に当接することにより、過度の湾曲が抑制される。このため、爪部に折れ等が生じ難くなるので、製品寿命の確保に寄与する。
【発明の効果】
【００１２】
本発明によれば、カバー開閉の利便性をよくすることができる。
【図面の簡単な説明】
【００１３】
【図１】一実施形態のアクセサリソケットの外観を示す斜視図。
【図２】アクセサリソケットの側面図。
【図３】アクセサリソケットの分解斜視図。
【図４】カバーの裏面形状を示す斜視図。
【図５】（ａ）〜（ｃ）はカバーを右開きする際の挟持部付近の状態遷移図。
【図６】開き操作時にカバーに外れ方向の外力が加わったときの状態図。
【図７】（ａ）〜（ｃ）はカバーを右開きする際の指掛け部付近の状態遷移図。
【図８】（ａ）〜（ｃ）はカバーを左開きする際の状態遷移図。
【発明を実施するための形態】
【００１４】
以下、両開き式カバー装置の一実施形態を図１〜図８に従って説明する。
図１に示すように、アクセサリソケット１には、ケーブル２と、ケーブル２の先端に配設されたコネクタ部３とが設けられている。アクセサリソケット１は、例えばコネクタ部３が車内のセンターコンソール等に取り付け固定される。
【００１５】
図１及び図２に示すように、コネクタ部３には、例えば電気端子（図示略）を有する筒状のコネクタ本体４が設けられ、このコネクタ本体４に両開き式のカバーユニット５が取り付け固定されている。カバーユニット５は、コネクタ本体４の開口を開閉することにより、コネクタ本体４内の電気端子を収納／露出する。カバーユニット５には、コネクタ本体４への係止箇所（圧入箇所）となるカバーホルダ６が設けられ、このカバーホルダ６に例えば略箱状のカバー（アクセサリソケットカバー）７が幅方向（図１のＹ軸方向）の両端に配設されたヒンジ機構８，９を介して開閉可能に取り付けられている。
【００１６】
図３に示すように、カバーホルダ６は、例えば略円環状をなすとともに、コネクタ本体４の上端周縁に取り付けられている。カバー７は、このカバーホルダ６の開口を開閉すべく、カバーホルダ６に着脱可能に外嵌される。
【００１７】
カバーホルダ６及びカバー７の間には、カバー７をカバーホルダ６に対し着脱及び回動可能に連結する複数の連結機構１０が設けられている。連結機構１０は、片側において、カバー７の開閉方向（図３の矢印Ｙａ方向）に対して交差する方向（図３のＸ軸方向）に一対設けられ、両側合わせて計４つ配設されている。紙面左側の連結機構１０と、紙面右側の連結機構１０とは、カバー７の幅方向において対称配置されている。
【００１８】
カバーホルダ６の幅方向における一方の側部には、一対の腕部１１が立設されている。一対の腕部１１の先端には、カバー７を支持する略円柱状の架設部１２が、一対の腕部１１を繋ぐように形成されている。架設部１２の両端には、Ｄカット形状の一対の連結部１３が突設されている。また、カバーホルダ６の幅方向における他方の側部にも、一方の側部と同様に、一対の腕部１４と、架設部１５と、一対の連結部１６とが設けられている。
【００１９】
図４に示すように、カバー７の幅方向両端には、カバー７を開ける際に指を引っ掛ける一対の指掛け部１７，１８が設けられている。指掛け部１７，１８の根元付近には、カバー７が閉状態のときに架設部１２，１５に係止される略半円弧状の係止凹部１９，２０が設けられている。よって、指掛け部１７，１８は、カバー７が閉状態の際、係止凹部１９，２０が架設部１２，１５に嵌り込むことにより、架設部１２，１５の上部に載置される。カバー７の裏面において奥行き方向（図４のＸ軸方向）の両側には、外枠を形成する一対の側壁部２１が立設されている。なお、側壁部２１がストッパ部の一例である。
【００２０】
カバー７の裏面において係止凹部１９の両側には、連結部１３を回動及び着脱可能に挟持する一対の挟持部２２が設けられている。挟持部２２は、Ｄカット形状の連結部１３に係止可能な爪部２３と、爪部２３と協同して連結部１３を挟持する壁部２４と、爪部２３の根元に配設された開口孔２５とを備える。爪部２３は、根元の開口孔２５によって湾曲が許容されるとともに、湾曲時、側壁部２１に当接することによって過度の湾曲が規制される。また、カバー７の裏面において係止凹部２０の両側には、連結部１６を回動及び着脱可能に挟持する一対の挟持部２６が設けられている。挟持部２６も、挟持部２２と同様に、爪部２７、壁部２８及び開口孔２９を有する。
【００２１】
次に、図５〜図８を用いて、本例の両開き式カバー装置の作用を説明する。
図５（ａ）に示すように、カバー７を右開き（右側に開く）する場合、指掛け部１７に指を引っ掛けて、カバー７を上方に引き上げる。このとき、図５（ｂ）に示すように、紙面左側の挟持部２２の爪部２３が根元から湾曲することにより、挟持部２２が連結部１３から外れる。そして、図５（ｃ）に示すように、紙面右側の連結部１６が回転軸となってカバー７が紙面時計回りに回り、カバー７が開操作される。
【００２２】
このとき、図６に示すように、仮にカバー７の開操作の途中で回転軸側の挟持部２６に外れ方向の外力が加わっても、爪部２７がＤカット形状の連結部１６に引っ掛かる状態を維持することにより、挟持部２６は連結部１６から外れない。即ち、カバー７を仮に勢いよく開操作しても、回転軸側の挟持部２６は連結部１６から外れず、係止した状態が維持される。
【００２３】
図７（ａ）〜（ｃ）に、カバー７が開操作される際の指掛け部１７，１８付近の動きを示す。同図に示されるように、回転軸側の指掛け部１８は根元の係止凹部２０が架設部１５に嵌り込んだ状態を維持したまま、カバー７が閉状態から例えば略１８０度開くことが可能である。また、図７（ｃ）に示すように、カバー７が全開状態となったとき、係止凹部２０は架設部１５を下から支持する状態となる。以上により、カバー７が右開きされる。
【００２４】
図８（ａ）〜（ｃ）に、カバー７を左開き（左側に開く）するときの操作態様を示す。同図に示されるように、右開きに比較して左右が異なるだけで、右開きと同様の動きをとってカバー７が開状態をとる。このように、本例のカバー７は右開き及び左開きのどちらからでも開操作することが可能であるので、開き方向が一方向に制限されず、利便性が確保される。
【００２５】
本実施形態の構成によれば、以下に記載の効果を得ることができる。
（１）Ｄカット形状の連結部１３，１６に挟持部２２，２６を係止する連結機構１０をカバー７の両側に設け、カバー７をカバーホルダ６に対して開操作する際、左右の連結機構１０のうち一方を開き側とし、他方を回動軸とすることにより、カバー７の両開き操作を可能とした。このため、カバー７を左右のどちらからでも開操作できる両開き式とすることが可能となるので、カバー７の開閉作業が１方向に制限されずに済む。よって、カバー開閉の利便性を確保することができる。
【００２６】
（２）連結機構１０は、左右それぞれにおいて係止凹部１９，２０を挟んで両側に一対形成される。よって、カバー７が閉じ状態の際、カバー７を両側で支持することが可能となるので、カバー７を安定性よくカバーホルダ６に取り付けておくことができる。
【００２７】
（３）連結部１３，１６に対し同一軸心上に配置される架設部１２，１５に、カバー７の裏面に形成された係止凹部１９，２０を係止する構造をとる。このため、カバー７を開閉する際、架設部１２，１５が回動軸となってカバー７の開閉を支持するので、カバー７を安定した状態で開閉することができる。
【００２８】
（４）カバー７の左右両側に指掛け部１７，１８を設けたので、どちらからカバー７を開閉する場合であっても、開閉操作のし易さを確保することができる。
（５）爪部２３，２７の根元付近に開口孔２５，２９が形成したので、爪部２３，２７の湾曲が開口孔２５，２９によって助長される。このため、カバー７を閉じる際には、爪部２３，２７が連結部１３，１６に係止され易くなり、カバー７を開ける際には、爪部２３，２７が連結部１３，１６から離脱し易くなる。よって、カバー７の開閉をスムーズに行うことができる。
【００２９】
（６）例えばカバー７の開操作時、爪部２３，２７が湾曲することになるが、爪部２３，２７は側壁部２１に当接することにより、過度の湾曲が抑制される。このため、爪部２３，２７に折れ等が生じ難くなるので、製品寿命の確保に効果が高くなる。
【００３０】
なお、実施形態はこれまでに述べた構成に限らず、以下の態様に変更してもよい。
・連結部１３，１６は、左右に１つずつ設けられる構造でもよい。
・挟持部２２，２６は、一対の爪からなる形状でもよい。
【００３１】
・指掛け部１７，１８は、カバー７の種々の場所に配置可能である。
・ストッパ部は、カバー７の側壁部２１を利用した構造に限らず、爪部２３，２７を背面から支えることが可能であればよい。
【００３２】
・架設部１２，１５、指掛け部１７，１８、係止凹部１９，２０、開口孔２５，２９などは、省略可能である。
・カバーホルダ６は、コネクタ本体４に一体形成されてもよい。
【００３３】
・カバー７は、左右開き構造に限定されず、例えば連結機構１０を上下左右の４箇所に設けることにより、右開き、左開き、上開き及び下開きの４方向に開閉可能としてもよい。
【００３４】
・カバー装置は、アクセサリソケット１以外の機器や装置に適用してもよい。
【符号の説明】
【００３５】
６…カバーホルダ、７…カバー、１０…連結機構、１２，１５…架設部、１３，１６…連結部、１７，１８…指掛け部、１９，２０…係止凹部、２１…ストッパ部としての側壁部、２２，２６…挟持部、２３，２７…爪部、２４，２８…壁部、２５，２９…開口孔。
【図１】
2014096316.tif 000003
【図２】
2014096316.tif 000004
【図３】
2014096316.tif 000005
【図４】
2014096316.tif 000006
【図５】
2014096316.tif 000007
【図６】
2014096316.tif 000008
【図７】
2014096316.tif 000009
【図８】
2014096316.tif 000010